(57)【要約】    【課題】  座部及び脚部を収納姿勢から使用姿勢、使用姿勢から収納姿勢へと円滑に作動させることができるようにする。    【解決手段】  上下方向の支持枠２と、後端部に左右方向の可動軸３を有する座部４と、下端部が左右方向の基軸５により支持枠２の下部に、上端部が左右方向の連結軸６により座部４の前端部に夫々回動自在に連結された脚部７とを備え、支持枠２の左右両側に、座部４が支持枠２から前方に突出する使用時の下降位置Ｄと、座部４と脚部７とが支持枠２に沿って略一直線状に収納される上昇位置Ｕとの間で可動軸３を上下方向に案内する左右一対の案内部８を設け、左右一体構造の脚部７に基軸５を挿通すると共に、座部４を使用姿勢Ｘで無負荷状態にしたときに、可動軸３が下降位置Ｄ及び連結軸６により高い位置となるように、座部４と脚部７とを連結軸６廻りに伸展方向に付勢するバネ９を設ける。【選択図】    図２
0003106501.tif 000002
【実用新案登録請求の範囲】
【請求項１】
壁面（１）等に取り付けられる上下方向の支持枠（２）と、後端部に左右方向の可動軸（３）を有する座部（４）と、下端部が左右方向の基軸（５）により前記支持枠（２）の下部に、上端部が左右方向の連結軸（６）により前記座部（４）の前端部に夫々回動自在に連結された脚部（７）とを備え、前記支持枠（２）の左右両側に、前記座部（４）が前記支持枠（２）から前方に突出する使用時の下降位置（Ｄ）と、前記座部（４）と前記脚部（７）とが前記支持枠（２）に沿って略一直線状に収納される上昇位置（Ｕ）との間で前記可動軸（３）を上下方向に案内する左右一対の案内部（８）を設けた壁面等取り付け用の折り畳み式椅子において、左右一体構造の前記脚部（７）に前記基軸（５）を挿通すると共に、前記座部（４）を使用姿勢（Ｘ）で無負荷状態にしたときに、前記可動軸（３）が前記下降位置（Ｄ）及び前記連結軸（６）により高い位置となるように、前記座部（４）と前記脚部（７）とを前記連結軸（６）廻りに伸展方向に付勢するバネ（９）を設けたことを特徴とする壁面等取り付け用の折り畳み式椅子。
【請求項２】
前記支持枠（２）は左右両側に上下方向の補強枠（１１）を備え、前記可動軸（３）の左右両端部に摺動体（３５）を設け、前記各補強枠（１１）内に、前記摺動体（３５）を上下摺動自在に案内するガイドレール（２２）と、前記下降位置（Ｄ）で前記摺動体（３５）を受けるストッパー（２３）とを設けたことを特徴とする請求項１に記載の壁面等取り付け用の折り畳み式椅子。
【請求項３】
前記基軸（５）の左右両端部を前記各補強枠（１１）に挿通し、前記脚部（７）の上端側の左右一対の突出部（２９）と、該突出部（２９）間に配置された前記座部（４）の前端部とに跨がって前記連結軸（６）を挿通し、前記バネ（９）を前記連結軸（６）に套嵌されたつる巻きバネにより構成したことを特徴とする請求項２に記載の壁面等取り付け用の折り畳み式椅子。
【請求項４】
前記支持枠（２）は、前記各補強枠（１１）と、該各補強枠（１１）を左右に連結する連結枠（１２ａ）〜（１２ｃ）と、前記各補強枠（１１）及び前記連結枠（１２ａ）〜（１２ｃ）を前側から覆う支持枠カバー（１３）とを備え、前記支持枠カバー（１３）は前記各補強枠（１１）を覆う左右一対の上下方向の突部（１４）と、該突部（１４）間に後方に凹入状に形成され且つ前記支持枠（２）に沿って略一直線状の前記座部（４）と前記脚部（７）とを収納する収納凹部（１７）とを有し、前記各突部（１４）の内側面に、前記可動軸（３）が挿通する上下方向の長孔（１９）を形成したことを特徴とする請求項２又は３に記載の壁面等取り付け用の折り畳み式椅子。
【請求項５】
前記脚部（７）の前面上部に、該脚部（７）を収納姿勢（Ｙ）から使用姿勢（Ｘ）に引き出すための把手部（２６）を凹入状に形成したことを特徴とする請求項１〜４の何れかに記載の壁面等取り付け用の折り畳み式椅子。
【請求項６】
前記支持枠（２）の上端部に、左右方向の手摺り部（１０）を設けたことを特徴とする請求項１〜５の何れかに記載の壁面等取り付け用の折り畳み式椅子。
【考案の詳細な説明】
【技術分野】
【０００１】
本考案は、玄関の壁面等に取り付けて使用する壁面等取り付け用の折り畳み式椅子に関するものである。
【背景技術】
【０００２】
玄関の壁面等に取り付けて使用する壁面等取り付け用の折り畳み式椅子には、従来、壁面等に取り付けられる上下方向の支持枠と、後端部に左右方向の可動軸を有する座部と、下端部が左右方向の基軸により支持枠の下部に、上端部が左右方向の連結軸により座部の前端部に夫々回動自在に連結された左右一対の脚部とを備え、支持枠の左右両側に、座部が支持枠から前方に突出する使用時の下降位置と、座部と脚部とが支持枠に沿って略一直線状に収納される上昇位置との間で可動軸を上下方向に案内する左右一対の案内部を設けたものがある（特許文献１）。
【特許文献１】特開２００３−２４１７８号公報
【考案の開示】
【考案が解決しようとする課題】
【０００３】
従来の折り畳み式椅子は、左右の各脚部がリンク状の部材により別々に構成され、その下端部が支持枠の左右両側に左右別々の基軸により、また上端部が座部の前端部の左右両側に左右別々の連結軸により夫々回動自在に連結されている。このため各部のガタツキが非常に多くなり、座部を収納姿勢から使用姿勢に引き出す場合、又は使用姿勢から収納姿勢に折り畳む場合の動作の円滑性に欠ける欠点がある。
【０００４】
また左右の脚部が別々に独立しているため、脚部と座部との間に、座部を折り畳み方向に付勢するバネ等を設けることが困難である。このため使用姿勢から収納姿勢に折り畳む場合には、座部の後部側を案内部に沿って若干持ち上げながら、座部の前端側を後方へと押す等の操作が必要であり、折り畳み難いという問題がある。
【０００５】
本考案は、このような従来の課題に鑑み、ガタツキ等を少なくできると共に、座部及び脚部を収納姿勢から使用姿勢、使用姿勢から収納姿勢へと円滑に作動させることができ、しかも簡単な操作で座部及び脚部を収納姿勢へと容易に折り畳むことができる壁面等取り付け用の折り畳み式椅子を提供することを目的とする。
【課題を解決するための手段】
【０００６】
本考案は、壁面１等に取り付けられる上下方向の支持枠２と、後端部に左右方向の可動軸３を有する座部４と、下端部が左右方向の基軸５により前記支持枠２の下部に、上端部が左右方向の連結軸６により前記座部４の前端部に夫々回動自在に連結された脚部７とを備え、前記支持枠２の左右両側に、前記座部４が前記支持枠２から前方に突出する使用時の下降位置Ｄと、前記座部４と前記脚部７とが前記支持枠２に沿って略一直線状に収納される上昇位置Ｕとの間で前記可動軸３を上下方向に案内する左右一対の案内部８を設けた壁面等取り付け用の折り畳み式椅子において、左右一体構造の前記脚部７に前記基軸５を挿通すると共に、前記座部４を使用姿勢Ｘで無負荷状態にしたときに、前記可動軸３が前記下降位置Ｄ及び前記連結軸６により高い位置となるように、前記座部４と前記脚部７とを前記連結軸６廻りに伸展方向に付勢するバネ９を設けたものである。
【考案の効果】
【０００７】
本考案では、ガタツキ等を少なくできると共に、座部及び脚部を収納姿勢から使用姿勢、使用姿勢から収納姿勢へと円滑に作動させることができ、しかも簡単な操作で座部及び脚部を収納姿勢へと容易に折り畳むことができる。
【考案を実施するための最良の形態】
【０００８】
以下、本考案の実施例を図面に基づいて詳述する。この壁面等取り付け用の折り畳み式椅子は、図１（Ａ）（Ｂ）及び図２に示すように、壁面１等に取り付けられる上下方向の支持枠２と、後端部に左右方向の可動軸３を有する座部４と、下端部が左右方向の基軸５により支持枠２の下部に、上端部が左右方向の連結軸６により座部４の前端部に夫々回動自在に連結された脚部７とを備え、支持枠２の左右両側に、座部４が支持枠２から前方に突出する使用時の下降位置Ｄ（図１（Ａ）及び図２参照）と、座部４と脚部７とが支持枠２に沿って略一直線状に収納される上昇位置Ｕ（図１（Ｂ）参照）との間で可動軸３を上下方向に案内する左右一対の案内部８が設けられている。
【０００９】
座部４と脚部７との間には、座部４を使用姿勢Ｘ（図１（Ａ）及び図２参照）で無負荷状態にしたときに、可動軸３が下降位置Ｄ及び連結軸６により若干高い位置Ｄ１となるように、座部４と脚部７とを連結軸６廻りに伸展方向に付勢するバネ９が設けられている。また支持枠２の上端部には、左右方向に配置された手摺り部１０とが設けられている。
【００１０】
支持枠２は図２、図３に示すように壁面１等に沿って偏平な縦長状であって、左右一対の上下方向に補強枠１１と、この各補強枠１１を上、中、下の３カ所で左右に連結する連結枠１２ａ〜１２ｃと、これら補強枠１１及び連結枠１２ａ〜１２ｃを前側から覆う支持枠カバー１３とを備えている。補強枠１１の上端には手摺り部１０用のブラケット１８が固定され、この左右のブラケット１８間に左右方向の丸棒状の手摺り部１０が設けられている。
【００１１】
支持枠カバー１３は、図３、図６〜図９に示すように、各補強枠１１を覆う左右一対の上下方向の左・右突部１４と、下の連結枠１２ｃを覆う下突部１５と、上の連結枠１２ａの上側近傍から前側に突出する上突部１６とが設けられ、これらの４個の突部１４〜１６間に後方へと凹入する収納凹部１７が形成されている。
【００１２】
収納凹部１７には、支持枠２に沿って略一直線状の収納姿勢Ｙ（図１（Ｂ）参照）に折り畳まれた座部４と脚部７とが前側から収納可能である。収納凹部１７の深さは、図２、図７〜図９に示すように座部４、脚部７を収納したときに、周辺の各突部１４〜１６の前端が座部４、脚部７の前面と略一致する程度になっている。左・右突部の収納凹部１７側の内壁面には、可動軸３が挿通する上下方向の長孔１９が形成されている。
【００１３】
支持枠カバー１３の上部には、左・右突部１４の上側でブラケット１８を覆う左・右張出部２０と、手摺り部１０との間に所定の隙間ができるように左・右張出部２０間に形成された凹壁部２１とが設けられている。
【００１４】
補強枠１１は内向きに開放するチャンネル材等により構成され、その内部に案内部８用の上下方向のガイドレール２２と、このガイドレール２２の下端側のストッパー２３とが設けられている。
【００１５】
座部４、脚部７は、図３、図４に示すように、収納凹部１７に収まる程度の厚さと左右幅とを有する偏平な板状であって、略同一幅になっている。脚部７は矩形枠状に構成された補強用の脚部枠２４と、この脚部枠２４に装着された脚部カバー２５とを有し、その前面上部に、即ち脚部カバー２５側に、この脚部７を収納姿勢Ｙから使用姿勢Ｘに引き出すための把手部２６が凹入状に形成されている。なお、把手部２６は下側から指を掛けるようになっている。脚部枠２４の左右両側の縦桟２４ａは脚部カバー２５の裏側の突条部２５ａに裏側から嵌合されている。座部４は裏板２７と、この裏板２７を上側から覆う座部カバー２８とを備えている。
【００１６】
脚部７の下端部には、図６、図８、図９に示すように、その脚部カバー２５及び脚部枠２４を左右に貫通する基軸５が挿通され、この基軸５の左右両端部が各補強枠１１に挿通されている。脚部７はその上端側の左右両側に一対の突出部２９を有する。座部４は脚部７の各突出部２９に対応する左右一対の切欠き部３０間に広幅突出部３１を前端側に有し、その広幅突出部３１が脚部７の両突出部２９間に位置した状態で、これら突出部２９、広幅突出部３１に跨がって連結軸６が左右方向に挿通されている。
【００１７】
連結軸６は図６、図７、図９に示すように、脚部７の脚部枠２４の左右縦桟２４ａの上端部に挿通されると共に、座部４の裏板２７と、この裏板２７に装着された保持部材３２との間に挿通されている。そして、保持部材３２の一端側で連結軸６の外周にバネ９が設けられている。バネ９は連結軸６に套嵌されたつる巻きバネにより構成され、その一端９ａが裏板２７の裏面に、他端９ｂが脚部枠２４の横桟２４ｂに夫々係合されている。
【００１８】
可動軸３は図６、図７、図９に示すように、座部４の裏板２７と、この裏板２７に装着された保持部材３４との間に挿通されている。そして可動軸３の両端部には立方体状の摺動体３５に挿通され、また摺動体３５はガイドレール２２に上下摺動自在に案内され、また下降位置Ｄではストッパー２３上に当接するようになっている。
【００１９】
この折り畳み式椅子は例えば玄関の壁面１等に取り付けておき、高齢者等が腰をかけて靴を履く際等に使用する。座部４及び脚部７は通常収納姿勢Ｙにある。この収納姿勢Ｙでは図１（Ｂ）に示すように、座部４及び脚部７は略一直線状に伸展した状態で収納凹部１７に収納されている。また座部４と脚部７との間には、バネ９の弾性力が連結軸６廻りに両者を略一直線状に伸ばす方向に作用している。このため座部４と脚部７とが屈折して、支持枠２の収納凹部１７の前側に突出するようなこともない。
【００２０】
使用に際しては、把手部２６に指を掛けて前側に引きながら、座部４及び脚部７を収納姿勢Ｙから使用姿勢Ｘへと引き出す。この場合、把手部２６に指を掛けて前側に引けば、脚部７が基軸５廻りに前側に回動して倒れて行くので、その脚部７の上端部に連結軸６で連結された座部４も前側へと引き出され、座部４と脚部７とが略一直線状態から順次屈曲する。そして、座部４と脚部７とが屈曲するに伴い、可動軸３の摺動体３５がガイドレール２２に沿って下側へと摺動する。
【００２１】
座部４及び脚部７が屈曲すると、両者の角度が小さくなるため、その屈曲に伴ってバネ９が順次圧縮されて行く。しかし、座部４が下降位置Ｄの上側近傍に到達するまでは、そのバネ９の弾性力が小さいので、座部４は下降する。そして、座部４が下降位置Ｄの上側近傍の位置Ｄ１に到達すると、バネ９は図５に示す状態に近い状態まで圧縮されて、その弾性力と座部４及び脚部７の重量とが釣り合い、座部４が図２の仮想線に示す状態で停止し安定する。
【００２２】
なお、座部４及び脚部７は、脚部７側を手前に引いた後、把手部２６から指を外しても、その重量により屈曲しながら使用姿勢Ｘへと前側に張り出して行く。しかし、座部４及び脚部７が屈曲するに伴ってバネ９が順次圧縮され、下降位置Ｄの上側の位置Ｄ１でバネ９の弾性力と座部４及び脚部７の重量とが釣り合う。このため、誤って把手部２６から指を外すようなことがあっても、それによって座部４の後端側がガイドレール２２に沿って衝撃的に落下するようなことはない。
【００２３】
座部４が図２に示す仮想線の状態で安定した後、その座部４上に腰をかける。このとき摺動体３５がストッパー２３に当接するまで座部４が下がるが、その下降量が僅か（例えば２〜４ｃｍ程度）であり、しかも座部４の後端側であるため、座部４が若干沈む程度で別段問題はない。
【００２４】
着座状態から腰を上げると、バネ９の弾性力により座部４が図２の位置Ｄ１まで上昇し、可動軸３の高さが連結軸６の高さよりも若干高くなる。そして、その後、把手部２６に指をかける等によって、脚部７の上部側又は座部４の前端部に後向き又は後上向きの外力を加えると、可動軸３がガイドレール２２に沿って上昇し、座部４及び脚部７を使用姿勢Ｘから収納姿勢Ｙへと折り畳むことができる。
【００２５】
このように脚部７を左右一体構造とし、その下端部を左右の補強枠１１に１本の基軸５により連結し、上端部を１本の連結軸６により座部４に連結しているので、左右一対の脚部７を別々に設ける従来の場合に比較してガタツキ等を少なくでき、座部４及び脚部７を収納姿勢Ｙと使用姿勢Ｘとの間で円滑に作動させることができる。バネ９を設けているので、簡単な操作で座部４及び脚部７を収納姿勢Ｙへと容易に折り畳むことができ、従来に比べて利便性が著しく向上する。更に上部に手摺り部１０があるので、高齢者等はその手摺り部１０で身体を支えながら立ったり座ったりすることができる。
【００２６】
以上、本考案の実施例について詳述したが、本考案はこの実施例に限定されるものではない。例えば、脚部７、座部４は一体構造でも良い。脚部７は左右が一体構造であれば良く、上下方向の中間部分に、左右両側から切欠きを設けても良いし、左右方向の中間に孔等の開口を設けても良い。従って、脚部７は左右が一体構造である限り、種々のデザインを施すことが可能である。手摺り部１０は省略しても良い。また把手部２６は座部４の前端側の上面に設けても良い。
【００２７】
実施例では、玄関先の壁面１に支持枠２を取り付けた場合について説明したが、玄関先の壁面１に限らずどこに取り付けて使用しても良い。また支持枠２は壁面１以外の箇所、例えば柱の側面、横桟の側面等に取り付けても良い。
【図面の簡単な説明】
【００２８】
【図１】（Ａ）は本考案の一実施例を示す折り畳み式椅子の使用姿勢の斜視図、（Ｂ）はその収納姿勢の斜視図である。
【図２】本考案の実施例を示す折り畳み式椅子の使用姿勢の断面図である。
【図３】本考案の実施例を示す折り畳み式椅子の分解斜視図である。
【図４】本考案の実施例を示す座部及び脚部の分解斜視図である。
【図５】本考案の実施例を示す使用姿勢の要部の拡大断面図である。
【図６】本考案の実施例を示す折り畳み式椅子の収納姿勢の正面図である。
【図７】（Ａ）は図６のａ−ａ線拡大断面図、（Ｂ）は図６のｂ−ｂ線拡大断面図である。
【図８】図６のｃ−ｃ線拡大断面図である。
【図９】図６のｄ−ｄ線拡大断面図である。
【符号の説明】
【００２９】
１  壁面
２  支持枠
３  可動軸
４  座部
５  基軸
６  連結軸
７  脚部
９  バネ
１０  手摺り部
１１  補強枠
１２ａ〜１２ｃ  連結枠
１３  支持枠カバー
１４  突部
１７  収納凹部
１９  長孔
２２  ガイドレール
２３  ストッパー
２６  把手部
２９  突出部
３５  摺動体
Ｄ  下降位置
Ｕ  上昇位置
Ｘ  使用姿勢
Ｙ  収納姿勢
【図１】
0003106501.tif 000003
【図２】
0003106501.tif 000004
【図３】
0003106501.tif 000005
【図４】
0003106501.tif 000006
【図５】
0003106501.tif 000007
【図６】
0003106501.tif 000008
【図７】
0003106501.tif 000009
【図８】
0003106501.tif 000010
【図９】
0003106501.tif 000011